(57)【要約】【課題】  モジュールが独立したシーケンスで動作する分散システムにおける、異常処理の誤動作を防ぐこと。【解決手段】  作像モジュール、給紙モジュール、搬送モジュール、定着モジュール等モジュール毎に分割されていて、各々のモジュールが独立的に動作する動作シーケンスと、各モジュール間を通信する通信手段と、前記シーケンスは所定の方法にて制御線を介して、モジュール毎にダウンロードする手段をもち、各モジュールが共通に使用する異常処理用の共有データ領域を設け、異常が発生した場合に異常になったモジュールが共有データ領域に書き込んで、縮退運転させ、縮退運転するかどうかは書き込まれた異常処理データに基づいて行い、異常になったモジュールが他のモジュールを縮退運転させるか止めるべきか、また縮退運転のレベルを判断してデータを書き込む。【選択図】        図１４
2006303569.tif 000002
【特許請求の範囲】
【請求項１】
作像モジュール、給紙モジュール、搬送モジュール、定着モジュール等モジュール毎に分割して実装され、各々のモジュールが独立的に動作する動作シーケンスと、各モジュール間を通信する通信手段と、前記シーケンスが予めモジュール毎に格納されたデータをもとに動作し、各々のモジュールが、前記通信手段から与えられる共通の信号をもとに画像形成動作を行う画像形成手段と、各々のモジュールが独立的に異常状態を判別する判別手段、異常状態の情報を全てのモジュールが共有する共有データ領域とを有する画像形成装置において、
異常状態発生時には異常を判別したモジュールが前記共有データ領域に異常情報を書き込み、前記制御線を介して全てのモジュールに異常状態を通知するとともに、共有データ領域に書き込まれた異常状態のレベルに応じて各々のモジュールが動作可能な動作条件で画像形成を行うことを特徴とする画像形成装置。
【請求項２】
前記画像形成装置における各々のモジュールが動作可能な条件とは前記異常発生モジュール以外のモジュールが前記異常発生モジュールの異常レベルに応じた動作モードに変更して画像形成を行うことを特徴とする請求項１に記載の画像形成装置。
【請求項３】
前記画像形成装置における動作可能条件とは前記異常発生モジュール以外のモジュールが前記異常発生モジュールを用いないで画像形成が行える動作モードを受け付けるようにしたことを特徴とする請求項１に記載の画像形成装置。
【発明の詳細な説明】
【技術分野】
【０００１】
本発明は、画像形成装置の構成と異常発生時処理に関する。
【背景技術】
【０００２】
従来の画像形成装置は図１〜３のような構成をとることが一般的で、画像形成に関わる制御を集中的に管理し、装置内の一部分に不具合があったとしても動作可能な状態で画像形成を行う縮退運転がある（例えば、特許文献１、２参照）。
【特許文献１】特開２００２−２５４７８１号公報
【特許文献２】特開２００３−２９５５４７号公報
【発明の開示】
【発明が解決しようとする課題】
【０００３】
しかしながら従来の画像形成装置では、高機能化するに従って、集中管理しているメインＣＰＵの負荷が増大し、更なる処理能力が求められる。またオプション機能追加に対応するため、あらかじめ想定されるすべてのオプションに対するインターフェースを用意する必要があり、開発にかかる日数やコストがかかってしまうという問題があった。
【０００４】
また、各部品への信号線や電源線などの束線が増大し、コストアップの要因になっているほか、小型化、軽量化の妨げになり、また機内の風路の妨げになって機内の異常昇温の原因になったり、放射ノイズの発生源もなっている恐れがあった。
【０００５】
そこで従来と異なる、モジュール単位での独立分散型制御方式が考えられるが、その構成において、ジャムやエラー等装置内の一部分に不具合があったとしても動作可能な状態で画像形成を行う縮退運転を行おうとするとメインのＣＰＵが必要となり、従来の方法から大きく改善することは出来なかった。
【０００６】
本発明は、以上の点に着目して成されたもので、異常処理の誤動作を防ぐことが可能となり、また異常状態解除後の復帰も確実に行えるようになり、さらに異常状態に最適に対応した縮退運転動作を行えるようになる画像形成装置を提供することを目的とする。
【課題を解決するための手段】
【０００７】
上記課題を解決するため、本願発明は、下記を特徴とする画像形成装置を提供するものである。
【０００８】
（１）作像モジュール、給紙モジュール、搬送モジュール、定着モジュール等モジュール毎に分割して実装され、各々のモジュールが独立的に動作する動作シーケンスと、各モジュール間を通信する通信手段と、前記シーケンスが予めモジュール毎に格納されたデータをもとに動作し、各々のモジュールが、前記通信手段から与えられる共通の信号をもとに画像形成動作を行う画像形成手段と、各々のモジュールが独立的に異常状態を判別する判別手段、異常状態の情報を全てのモジュールが共有する共有データ領域とを有する画像形成装置において、異常状態発生時には異常を判別したモジュールが前記共有データ領域に異常情報を書き込み、前記制御線を介して全てのモジュールに異常状態を通知するとともに、共有データ領域に書き込まれた異常状態のレベルに応じて各々のモジュールが動作可能な動作条件で画像形成を行うこと。
【０００９】
（２）前記（１）に記載の画像形成装置における各々のモジュールが動作可能な条件とは前記異常発生モジュール以外のモジュールが前記異常発生モジュールの異常レベルに応じた動作モードに変更して画像形成を行うこと。
【００１０】
（３）前記（１）に記載の画像形成装置における動作可能条件とは前記異常発生モジュール以外のモジュールが前記異常発生モジュールを用いないで画像形成が行える動作モードを受け付けるようにしたことにより上述の問題点を解決したものである。
【発明の効果】
【００１１】
本発明によれば、モジュールが独立したシーケンスで動作する分散システムにおける、異常処理の誤動作を防ぐことが可能となる。また異常状態解除後の復帰も確実に行える。
【００１２】
本発明により、各機能モジュールが共通のインターフェースで接続することが可能になるとともに、拡張されたシステムにおけるモジュールの異常発生時にも、異常状態に最適に対応した縮退運転動作を行えるようになった。
【発明を実施するための最良の形態】
【００１３】
以下に、図面を参照して本発明の実施例を説明する。
【実施例】
【００１４】
図１は従来のシート処理方法を搭載した画像形成装置の構成を説明する断面図である。１０１は原稿台ガラスであり、原稿自動送り装置１６０から給送された原稿が順次、所定位置に載置される。１０２は例えば蛍光灯から構成される原稿照明ランプで、原稿台ガラス１０１に載置された原稿を露光する。１０３、１０４、１０５は走査ミラーであり、図示しない光学走査ユニットに収容され、往復運動しながら、原稿からの反射光をＣＣＤユニット１０６に導く。ＣＣＤユニット１０６はＣＣＤに原稿からの反射光を結像させる結像レンズ１０７、例えばＣＣＤから構成される撮像素子１０８、撮像素子１０８を駆動するＣＣＤドライバ１０９等から構成されている。撮像素子１０８からの画像信号出力は例えば８ビットのデジタルデータに変換された後、画像処理部３００（図２参照）に入力される。
【００１５】
また、１１０は感光ドラムであり、１１２の前露光ランプによって画像形成に備えて除電される。１５０はエンジンコントローラ部である。１１３は一次帯電器であり、感光ドラム１１０を一様に帯電させる。１１７は露光手段であり、例えば半導体レーザ等で構成され、画像処理や装置全体の制御を行う画像処理部３００で処理された画像データに基づいてレーザ露光のためのパルス幅に変換し、感光ドラム１１０を露光し、静電潜像を形成する。１１８は現像器であり、黒色の現像剤（トナー）が収容されている。１１９はトナーを収容するバッファ部と呼ばれるもので、１２０にセットされた着脱式トナー収納容器（以下、カートリッジと称す）からトナーが補給される。バッファ部１１９に補給されたトナーは現像器内のトナー量に応じて現像器に補給される。１２１は転写前帯電器であり、感光ドラム１１０上に現像されたトナー像を用紙に転写する前に高圧をかける。
【００１６】
１２２、１２４、１２６、１２８、１３０は給紙ユニットであり、各給紙ローラ１２３、１２５、１２７、１２９、１３１の駆動により、転写用紙が装置内へ給送され、レジストローラ１３２の配設位置で一旦停止し、感光ドラム１１０に形成された画像との書き出しタイミングがとられ再給送される。１３３転写帯電器であり、感光ドラム１１０に現像されたトナー像を給送される転写用紙に転写する。１３４は分離帯電器であり、転写動作の終了した転写用紙を感光ドラム１１０より分離する。１７０は分離爪で、もし分離帯電器１３４による静電分離がうまく行かなかった際に、物理的に転写紙を分離するためのものである。
【００１７】
転写されずに感光ドラム１１０上に残ったトナーはクリーナー１１１によって回収される。１３５は搬送ベルトで、転写プロセスの終了した転写用紙を定着器１３６に搬送し、例えば熱により定着される。１３７はフラッパであり、定着プロセスの終了した転写用紙の搬送パスを、ステイプルソーター１４５または反転パス１３９方向のいずれかに制御する。ステイプルソーター１４５に排紙された用紙は各ビンに仕分けされ、エンジンコントローラ部１５０からの指示によりステイプル部１４６がステイプルを行う。
【００１８】
反転パス１３９は、フェイスダウン排紙、両面コピーを行う際に使用され、フェイスダウン排紙を行う際は反転部１３９で反転してから排紙される。また、両面コピーを行う際は反転パス１３９から両面パス１４４に搬送される。１４０〜１４２は給紙ローラであり、両面パス１４４上の再転写紙を再給紙ローラ１４３まで搬送する。再転写紙は１４０〜１４２、１４３の給紙ローラにより、給紙ユニットから給紙される転写紙とタイミングをとりながら搬送され、再度レジストローラ１３２の配設位置まで搬送される。１５０のエンジンコントローラ部には後述するマイクロコンピュータ、ＰＷＭ部を備えており、操作パネル１５１からの指示に従って、前述の画像形成動作を行う。
【００１９】
図２は従来の画像形成装置におけるコントローラ部１５０および画像処理部３００のブロック図である。
【００２０】
２０１は画像処理装置全体の制御を行うＣＰＵであり、装置本体の制御手順（制御プログラム）を記憶した読み取り専用メモリ２０３（ＲＯＭ）からプログラムを順次読み取り、実行する。ＣＰＵ２０１のアドレスバスおよびデータバスは２０２のバスドライバー回路、アドレスデコーダ回路をへて各負荷に接続されている。また、２０４は入力データの記憶や作業用記憶領域等として用いる主記憶装置であるところのランダムアクセスメモリ（ＲＡＭ）である。
【００２１】
２０６はＩ／Ｏインターフェースであり、操作者がキー入力を行い、装置の状態等を液晶、ＬＥＤを用いて表示する１５１の操作パネルや給紙系、搬送系、光学系の駆動を行うモーター類２０７、クラッチ類２０８、ソレノイド類２０９、また、搬送される用紙を検知するための紙検知センサ類２１０等の装置の各負荷に接続される。現像器１１８には現像器内のトナー量を検知する２１１のトナー残検センサが配置されており、その出力信号がＩ／Ｏポート２０６に入力される。さらに、各負荷のホームポジション、ドアの開閉状態等を検知するためのスイッチ類２１２の信号もＩ／Ｏポート２０６に入力される。２１３は高圧ユニットであり、ＣＰＵの指示に従って、前述の１次帯電器１１３、現像器１１８、転写前帯電器１２１、転写帯電器１３３、分離帯電器１３４へ高圧を出力する。
【００２２】
２１５は画像処理部であり、ＣＣＤユニット１０６から出力された画像信号が入力され、後述する画像処理を行い、画像データに従って１１７のレーザユニットの制御信号を出力する。レーザユニット１１７から出力されるレーザ光は感光ドラム１１０を照射し、露光するとともに非画像領域において受光センサであるところの２１４のビーム検知センサによって発光状態が検知され、その出力信号がＩ／Ｏポート２０６に入力される。
【００２３】
図３は従来の画像形成装置における画像処理部３００のブロック図である。
【００２４】
ＣＣＤ１０８により電気信号に変換された画像信号は、まずシェーディング回路３０１によって画素間のばらつきの補正を行った後、３０２の変倍回路において、縮小コピー時はデータの間引き処理を行い、拡大コピー時はデータの補間を行う。次に、３０３のエッジ強調回路において、例えば５×５のウインドウで２次微分を行い、画像のエッジを強調する。この画像データは輝度データであるのでプリンタに出力するための濃度データに変換するため３０４のγ変換回路でテーブルサーチによりデータ変換を行う。
【００２５】
濃度データに変換された画像データは３０５の２値化処理部へ入力される。ここでは例えばＥＤ法により多値データを２値データに変換する。３０９は画像データ用ハードディスクで、ＣＣＤユニットから入力され、画像処理されたデータが記憶される。また、ネットワーク等に接続されている場合なども画像データを記憶する。２値に変換された画像データは３０６のメモリコントローラに入力される。
【００２６】
メモリコントローラ３０６では、入力された画像データと例えばハードディスクにより構成される画像用メモリ３０９内の画像データを選択的に出力する、またはＯＲをとって出力する。この画像用メモリ３１０に対するリードライト制御はメモリコントローラ３０６で行い、画像を回転させる場合はメモリ内の画像データの読み出しアドレスを制御することで行う。これらの画像データはレーザの発光強度の信号に変換するためＰＷＭ回路２１５へ入力され、画像の濃度に従ったパルス幅をレーザユニットに対して出力する。
【００２７】
次に本発明の構成を表す接続図を図４〜図８に示す。図１で説明した従来のエンジンコントローラによる集中管理構成ではなく、図５に示すように機能モジュールごとに制御を行う構成をとっている。図５は図１の従来の複写機の形態を大まかな機能モジュールに分けて各モジュールごとにモジュールコントロールユニットを配置している構成図である。
【００２８】
また図４はリーダモジュール１からフィニッシャモジュールまでの接続形態を示した図である。図６でさらに詳しく各モジュールの中を説明するが、図４に示すようにすべてのモジュールが共有しているデータ領域を設けている。
【００２９】
図４におけるそれぞれのモジュールは、自律して動作する動作シーケンスを持っており、モジュール内の入出力に応じて独立的に動作している。図４において、プリンタコントローラ２からレーザモジュール３に接続され、その他のモジュールがレーザモジュールから接続されている理由は画像信号がプリンタコントローラからレーザモジュールに直接手渡されれば画像信号が引き回されないですむからである。と同時にレーザモジュールは他の紙搬送系のモジュールに対する動作トリガとなるため、プリンタコントローラ２にはレーザモジュール３が接続されている。
【００３０】
図６が各モジュール内の構成を説明した図である。
【００３１】
１１００はレーザモジュールの機能ブロックでレジスタ設定で動作する。機能ブロック設定手段１１０６がレジスタを設定する。機能ブロック設定手段は各レジスタの値やタイマー値を設定する。このレジスタ値は通信手段１１０９によって送信されてくる。通信手段は他のモジュールとの通信を行う部分で各モジュールの動作開始、動作終了、各種状態をシリアルデータで伝達している。また通信手段にはエラー情報の通信線である。またレーザモジュールには画像形成装置のメカニカルな動作情報以外に、画像データが送られて来る。この画像データはレーザモジュールにのみ送られてくる。レーザモジュールは水平同期信号、あるいはページ同期信号を生成するためのＢＤ信号を出力する。各機能ブロック手段には実際の紙センサやモーター、ソレノイドなどの負荷が接続されていて、モジュール内のシーケンスに応じて独立的に動作する。例えば画像形成装置の画像形成動作が開始されるとシリアルデータで動作開始が指示される。
【００３２】
搬送モジュールに紙が送られてくると、搬送モジュール内の紙パスセンサが紙を検知する。その検知信号を元に、搬送モジュール内のタイマーが動作し、所定のタイミングで紙送りローラのクラッチをオンする。紙が通過したらタイマーでクラッチの動作を止める。そして画像形成が終了すると動作終了信号によって、画像形成装置の動作が終了する。紙が次のモジュール、例えば排紙モジュールに渡ったら今度は排紙モジュールが同様の独立シーケンスで動作する。各モジュールは図示しないがＡＳＩＣまたはＣＰＵを持ち、独立したシーケンスで動作する。このシーケンスはプリンタコントローラ２から変更可能で、モードやオプションの数に応じて逐次書き換えられる。
【００３３】
次に本発明の縮退運転について説明する。
【００３４】
図７に示すように各モジュールがエラー状態を検知したら、共有データ領域１２にエラー情報を書き込む。例えば定着モジュールが高温を検知したら温度情報や、ハード的に検知したエラーかソフト的に検知したエラーかなどの情報をエラー情報として書き込む。と同時に共有データ領域のエラー情報領域に画像形成装置全体がエラーであることを書き込む。このエラー情報領域は領域でなくともフラグでもかまわない。このエラー情報は図６で説明した通信手段から共有データ領域に書き込まれる。また、エラーやジャムが発生した状態でも、動作可能な部分だけでプリント動作が可能かどうかを共有データ領域の異常レベルのエリアに書き込む。
【００３５】
図８が共有データ領域を表した図である。
【００３６】
図８においてエンジン状態を表す共有データ領域はどのモジュールからも読み書きが可能に構成されている。またモジュール状態を表す領域はすべてのモジュールから読み出しは可能であるが、書き込みは自分のモジュール状態の部分のみ可能である。動作パラメータはプリンタコントローラから送られて来る情報である。本発明において、エラーやジャムが発生した場合は発生したユニットがエンジン状態を表す共有データ領域にエラー情報を書き込む。エラー状態を書き込む際に、異常レベルのエリアに縮退運転をするかどうか、また縮退運転するとするとどういうモードで縮退運転するかという情報を書き込む。
【００３７】
縮退運転するかどうかについて、図９、図１０、図１１を用いて説明する。
【００３８】
図９に示すように、動作を即時停止すべきか、動作が終了してから停止すべきか、縮退運転で違うモードに移行してジョブを行うか、異常が発生したモジュールが判断して図８の異常レベルのエリアに書き込む。図１１に示すように本実施例では異常レベルエリアは１０ビットの情報として持っており、上位２ビットを異常レベル情報、下位８ビットを縮退運転レベルとしている。図１２は他のモジュールでジャムが発生した場合、定着モジュールがとるべき処理を表にしたものである。例えば給紙遅延ジャムが発生した場合、給紙より下流にある定着モジュールは、即時停止する必要がない。したがって、通常動作を終了させてから動作を停止すればよい。この場合異常レベル領域の上位２ビットに１０が書き込まれる。
【００３９】
装置内でのエラーと縮退運転モードについて説明する。例えば給紙滞留ジャムが発生した場合、他の給紙段に同じサイズの紙があればそちらから給紙してもまったく同じ動作が可能である。その場合、給紙モジュールは異常レベル領域に０１  ０１００  ００００と書き込む。
【００４０】
これにより給紙段を変更して同じジョブを再開することができる。ただし、ジャム情報の領域にはジャムしている給紙段の情報と、給紙ＳＴＳ領域にジャムの詳細情報が書き込まれたままとなる。この状態はＪＡＭ解除されるとリセットされる。
【００４１】
また、図示しないが定着の温度を検知している複数のサーミスタに温度差がある場合、小サイズ紙などで端部の温度上昇が厳しい状態であることが考えられるし、定着温度の推移が時間とともに下降気味の場合、定着部の発熱が通紙中の紙に奪われる熱に追従していないことが考えられる。このような場合は、スループットを下げることで端部の異常高温を防いだり、定着性を維持したりすることが出来る。この例では定着モジュールが、異常レベル領域に０１  ００１０  ００００と書き込むことで、スループットを下げたダウンシーケンスに移行する。ダウンシーケンスの生産性は、他のモジュールが定着ＳＴＳを参照しながら判断する。
【００４２】
例えば、定着モジュールが毎分６０枚の通紙状態では温度が維持できないと判断した場合、定着ＳＴＳに分速４０枚で運転していることをかきこむ。給紙モジュールや、搬送モジュールはこの定着ＳＴＳの情報に基づいて、給紙間隔を遅らせて生産性を下げる。また搬送モジュールも生産性が下がっていることを認識して、紙間制御やジャム検知タイミングを変更する。
【００４３】
次に両面モジュールがジャムした場合について述べる。両面モジュールでジャム場発生した場合、そのジョブは中断される。しかしながら、片面ばかりのプリントアウトなら可能なため、ジョブの順番を変えて片面のジョブを先にプリントする。この場合異常レベル領域には０１  ０００１  ００００と書き込むことで、片面のみのジョブをプリントする。
【００４４】
両面モジュールを使わない縮退運転に関しては、他のモジュールは通常の片面プリントと同じ動作である。
【００４５】
同様に、ステイプラの針なし状態や、針ジャム状態ではステイプルを行わない縮退運転を行い、パンチくずが満タンの際はパンチを行わないモードで運転する。
【００４６】
この場合もステイプラやパンチ等後処理モジュールの使用を行わないだけで他のモジュールの動作は通常と同じ動作を行う。
【００４７】
またオフセットソートを行う排紙ビンが満載の場合は、ノンソートのジョブを行い、糊付け、三方裁断がついているフィニッシャーでも糊がない場合や、裁断くず満タンの状態ではフィニッシングを行わないジョブで運転する。ここでは単独の縮退運転について説明したが、組み合わせも可能なことはいうまでもない。例えば両面を行わずダウンシーケンスにはいる場合は０１  ００１１  ００００と書き込む。パンチ穴あけと仕分けとステイプルを行わない場合は０１  ００００  １１１０と書き込む。
【００４８】
ここで説明した、縮退運転の組み合わせの書き込みはどのモジュールからも書き込み可能で、論理和の形式をとっている。すなわち、複数のモジュールで異常が発生した場合は、各々のモジュールが停止すべきか、動作後停止か、縮退運転か判断し、停止、動作後停止の必要がある場合は縮退運転よりも優先して停止される。しかし、動作後停止の場合、異なるモードのジョブを選択して縮退運転することが可能である。異常が発生したモジュールが動作終了後縮退運転が可能であれば、異常状態レベルを縮退運転レベルに変更する。そして他のモジュールはその状態に応じて縮退運転を受け付ける。また複数のモジュールで停止に至らない縮退運転が可能な場合は、先述したように論理和の形式で図１１の縮退運転選択の複数のビットが立てられる。
【００４９】
本実施例では、給紙段変更、ダウンシーケンス、片面ジョブのみ、ステイプルなし、パンチ穴あけなし、仕分けなし、フィニッシング処理なしを縮退運転の例にあげたが、この限りではない。例えばカラートナー補給モジュールがカラートナーなし状態の場合や、カラーの高圧モジュールに異常がある場合、白黒プリントのみを許可するとか、トナーが少ない場合低濃度のジョブのみ受け付けるとか、流し読みの読み取りごみがある場合、流し読みモードを使わずブックスキャンのみにする等、さまざまな縮退運転が考えられる。
【００５０】
図１３にそのシーケンスの一例を表すフローチャートを記す。
【００５１】
図１３においてはあるモジュールでジャムやエラーなどの異常が発生した場合（ｓ１）、そのモジュールがエンジン全体を即時停止すべきかどうかを判断し（ｓ２）、共有データ領域のエンジン状態に状態を書き込む。エンジン全体を即時停止しなければならないような場合、共有データ領域の異常レベル領域に１１を書き込んで（ｓ１６）、マシンを即時停止させる。即時停止しなくてよい場合はｓ３に進む。モジュールによって動作後停止する場合はｓ１４に進み異常レベル領域に１０を書き込む。各モジュールはこの異常レベル情報とモジュール状態情報から、モジュールが動作後停止するかが決まる。各モジュールが共有データ領域の値を参照して動作が決定される。次に動作を停止させず、縮退運転が可能な場合はｓ４に進み、縮退運転するかどうかを判断する。縮退運転を行わない場合、異常状態でないことが考えられる（ｓ１１）。そこで正常に復帰してしまったのかどうかを判別し正常の場合は異常レベルを００にして（ｓ１２）正常運転に戻る（ｓ１３）。もし正常復帰してない場合はもう一度即時停止かどうかの判断に戻る（ｓ２）。
【００５２】
次に縮退運転動作を行う場合について説明する。
【００５３】
縮退運転動作を行う場合はｓ６に進み図１０で説明した縮退運転選モード選択を行う。
【００５４】
縮退運転モードが選択されると縮退運転を行い（ｓ７）、縮退運転が終了したかどうか判断する（ｓ８）。もしこの縮退運転中にも異常が発生した場合にはフローの最初からのシーケンスになる。縮退運転が終了した時点で異常のままになっているモジュールの異常解除をオペレーターに対して促すよう表示して、スタンバイ状態を取る。即時停止、動作後停止した際も同様にモジュールの異常解除をオペレーターに対して促すよう表示する（ｓ９）。正常運転で終了した際はそのままスタンバイ状態に移行する（ｓ１０）。以上が本発明のフローチャートの説明である。
【００５５】
図１４が実際のソフトウェアの処理を表した図である。
【００５６】
図１４において、給紙制御、搬送制御などと記載されている部分はそれぞれのモジュールでの独立したシーケンスを表している。本実施例では各々のモジュールの独立したプログラム構造は割愛するが、このモジュール単位でのシーケンス処理は、共有データ領域を必ず通るように作られている。したがって、どのモジュールも共有データ領域の情報を必ず参照しながら自分のプログラムを実行している。
【００５７】
この共有データ領域はデュアルポートＲＡＭのような半導体メモリを介在させてもよいが、どれかのモジュール内のＲＡＭ領域でもかまわない。画像形成には必ず必要なモジュール例えばレーザモジュールのＲＡＭ内に領域を確保し、レーザモジュールの内部ＲＡＭアクセスをウェイトさせて共有データ領域にアクセスする構成でも実現可能である。以上が本実施例の説明である。
【図面の簡単な説明】
【００５８】
【図１】従来の画像形成装置断面図
【図２】従来の画像形成装置の構成を表すブロック図
【図３】画像処理部のブロック図
【図４】本発明の画像形成装置のモジュール構成を表すブロック図
【図５】本発明の画像形成装置のモジュール配置を表す図
【図６】本発明の各モジュールの説明図
【図７】本発明の各モジュールからのエラー発生時の書き込みの様子を示した概念図
【図８】共有データ領域を表した図
【図９】本発明の異常状態レベルあらわした表
【図１０】本発明の縮退運転モード選択あらわした表
【図１１】本発明の異常レベル領域のデータ形態をあらわした表
【図１２】本発明のモジュール異常発生時の処理を表した１例を示す図
【図１３】本発明の制御の様子を表したフロー図
【図１４】本発明の各モジュールのシーケンス動作の説明図
【符号の説明】
【００５９】
１      リーダモジュール
２      プリンタコントローラ
３      レーザモジュール
４      作像モジュール
５      給紙モジュール
６      搬送モジュール
７      両面モジュール
８      定着モジュール
９      排紙モジュール
１０    トナー補給モジュール
１１    フィニッシャモジュール
１２    共有データ領域
１５０  エンジンコントローラ
３００  画像処理部
１１００−１１０２  機能ブロック
１１０６−１１０８  機能ブロック設定手段
１１０９−１１１１  通信手段
【図１】
2006303569.tif 000003
【図２】
2006303569.tif 000004
【図３】
2006303569.tif 000005
【図４】
2006303569.tif 000006
【図５】
2006303569.tif 000007
【図６】
2006303569.tif 000008
【図７】
2006303569.tif 000009
【図８】
2006303569.tif 000010
【図９】
2006303569.tif 000011
【図１０】
2006303569.tif 000012
【図１１】
2006303569.tif 000013
【図１２】
2006303569.tif 000014
【図１３】
2006303569.tif 000015
【図１４】
2006303569.tif 000016